(57)【要約】      （修正有）【課題】洗濯機の使用が可能でくり返し清掃できるメラミン発泡体樹脂清掃具であり、安価で販売でき効率よく使用できる安全な口腔内清掃具を提供する。【解決手段】メラミン樹脂発泡体に熱可塑性ゴムシートを加熱熔解とともに含浸させ、木材などに圧着固定する。網素材からなる袋の中に、その容積の１．５倍〜５倍にあたるメラミン樹脂発泡体を挿入する。【選択図】図２
0003167748.tif 000002
【実用新案登録請求の範囲】
【請求項１】
メラミン樹脂発泡体の適正面に熱可塑性樹脂又は、熱可塑性ゴムシートを加熱熔解と共に含浸させ、余熱を有し粘性が残る時点において他の物性を有する素材に圧着固定した清掃具。
【請求項２】
請求項１のメラミン樹脂発泡体を使用した口腔内清掃具。
【請求項３】
網素材からなる袋の中に、その容積の１．５倍〜５倍にあたるメラミン樹脂発泡体を挿入しその反発力を利用、くり返し使用可能を特徴とする清掃具。
【請求項４】
請求項３のメラミン樹脂発泡体使用の清掃具であって、挿入メラミン樹脂発泡体の適正面に熱可塑性樹脂を含浸させた清掃具。
【請求項５】
請求項３のメラミン樹脂発泡体使用の清掃具であって、挿入メラミン樹脂発泡体の中央部付近に熱可塑性樹脂を含浸させた清掃具。
【請求項６】
請求項３のメラミン樹脂発泡体使用の清掃具であって、含浸樹脂の表面に凹凸を有する清掃具。
【考案の詳細な説明】
【技術分野】
【０００１】  本考案は、メラミン樹脂発泡体の熔着方法とくり返し使用できる商品の開発に関する。
【背景技術】
【０００２】  近年、メラミン樹脂発泡体はその組織構造から清掃具として広く使用されるようになった。それに加え安全性も認められタバコのヤニ、コーヒー、日本茶等による口腔内の着色汚れ除去にも適合していることが分かってきた。又、メラミン樹脂発泡体の欠点である剥離、亀裂破壊の軽減を目的に圧縮し密度上昇による強度アップを考えた商品もある。【０００３】  本件の考案者も昨年メラミン樹脂発泡体の強度アップを目的として、「含浸メラミン樹脂発泡体とその構造。」を提案した。これらに関する特許文献の一部を下記に示した。【０００４】
【特許文献１】特許第３６７４９０７号公報
【特許文献２】特開２００７−２０２８０９公報
【特許文献３】特願２００９−２０９７９６
【実用新案文献１】
登録実用新案第３０８７０９３公報
【考案の提示】
【考案者が解決しようとする課題】
【０００５】  くり返し使用でき、清掃後洗濯機が使えるキッチン用メラミン樹脂発泡体清掃具と、接着剤を使用せず他の物性を有するハンドル等に熔解固定できることを課題とした。
【課題を解決するための手段】
【０００６】  くり返し使用でき清掃後洗濯機が使用できるメラミン発泡体においては、次の方法で強度上昇を実証した。
【０００７】  メラミン樹脂発泡体２枚の中央付近に熱可塑性樹脂を熔解含浸させると同時に熔着することで形崩れの軽減を図った。
【０００８】  その他にもメラミン樹脂発泡体適正面に熱可塑性樹脂を用途により２０％〜１００％熔解含浸させることで強度の上昇を図った。
【０００９】  １．５倍〜５倍にあたる容積の上記したメラミン樹脂発泡体を網素材からなる袋の中に挿入し、その反発力を利用することで、くり返し使用できる清掃具を考案した。
【００１０】  メラミン樹脂発泡体の適正面に熱可塑性樹脂を含浸後、粘性を有するうちに他の物性（木材、樹脂、金属、繊維）に熔着することを考案した。
【考案の効果】
【００１１】  従来のメラミン樹脂発泡体と異なり、使用実験の結果３０回以上清掃後洗濯機の使用が可能であり、くり返し使用できることで清掃効率が大きく上昇した。
【００１２】  網素材からなる袋に挿入することと、メラミン樹脂発泡体清掃面に２０％〜１００％の熱可塑性樹脂を含浸することで、メラミン樹脂発泡体の特徴を残し強度を上昇させることが可能となり、油汚れ等にも使用できるようになった。
【００１３】  接着剤が不必要なため、口腔内使用においてもハンドル等への熔着が容易かつ安全となり、多種類の商品の開発につながった。
【００１４】  接着剤が不必要により、作業工程の削減及び、作業時間の短縮となりコストダウンにもつながった。
【考案を実施するための最良の形態】
【００１５】  次に、考案を実施するための最良の形態を図をもって説明する。【００１６】  図１は熱可塑性樹脂をメラミン樹脂発泡体の平面に熱により含浸させた形態を示すものであり、メラミン樹脂発泡体は１で示し、樹脂含浸部は２で示す。含浸方法については考案者が昨年特許出願文献の中で説明しているため今回は省略する。【００１７】  上記メラミン樹脂発泡体１の樹脂含浸部２が予熱（１８０℃〜２００℃位）を有する時点で図２で示すように楊枝３を挟み込むように置き上面より圧迫することで熔着することができる。作業を分担して行う場合は、予め図１に示す含浸メラミン樹脂発泡体を作成し次の工程とし、エアーヒーター等により上記温度に加熱し楊枝３を熔着することも可能であり、治具又は自動機を使用した場合量産も可能である。【００１８】  図３は、図２をＡ−Ａ断面で切断した切断図である。【００１９】  又、図４、図５は含浸メラミン樹脂発泡体において各含浸面を上記方法により熔着した形状を示す。【００２０】  洗濯ができ、くり返し使用できる含浸メラミン樹脂発泡体の一例を示したものが図６である。この製造方法は、メラミン樹脂発泡体１の一方向平面に熱可塑性樹脂を含浸後予熱保有時点において上部よりメラミン樹脂発泡体１を圧迫させ作成する。この他にも、メラミン樹脂発泡体１の一方向面にのみ含浸させ使用感の異なる清掃具を作成することも可能である。又、その面に凹凸を作成することもできる。【００２１】  上記メラミン樹脂発泡体１を網形状の袋の中に挿入し、網形状の袋の容積に対しメラミン樹脂発泡体１の容積を１．５倍〜５倍位にする。これにより袋中においてメラミン樹脂発泡体１は恒に反発力を有し清掃効率及び強度も上昇する。【００２２】  それに加え、網の中に入れることで互いに自由な動きができ、網部がメラミン樹脂発泡体１の剥離亀裂破壊等を軽減することが分かった。それだけでなく、昔の清掃具の一つとして網タワシがあったように、これも効率上昇の一つとなった。【００２３】  メラミン樹脂発泡体１の平面に熱可塑性樹脂製の網を含浸させる実験も行ったが強度上昇にはつながらなかった。
【図面の簡単な説明】
【００２４】
【図１】含浸メラミン樹脂発泡体の形状を示す斜視図。
【図２】楊枝の一方端面にメラミン樹脂発泡体を含浸熔着した考案品の正面図。
【図３】楊枝の一方端面にメラミン樹脂発泡体を含浸熔着した考案品のＡ−Ａ断面図。
【図４】含浸メラミン樹脂発泡体を中央部で折り曲げ熔着した形状を示す正面図。
【図５】含浸メラミン樹脂発泡体を適正部で折り曲げ熔着した形状を示す正面図。
【図６】メラミン樹脂発泡体中央付近に熱可塑性樹脂を熔解含浸させた考案品の斜視図。
【符号の説明】
【００２５】１．  メラミン樹脂発泡体
２．  樹脂含浸部
３．  楊枝
【図１】
0003167748.tif 000003
【図２】
0003167748.tif 000004
【図３】
0003167748.tif 000005
【図４】
0003167748.tif 000006
【図５】
0003167748.tif 000007
【図６】
0003167748.tif 000008
【手続補正書】
【提出日】平成23年1月25日(2011.1.25)
【手続補正１】
【補正対象書類名】実用新案登録請求の範囲
【補正対象項目名】全文
【補正方法】変更
【補正の内容】
【実用新案登録請求の範囲】
【請求項１】
メラミン樹脂発泡体に熱可塑性樹脂又は、熱可塑性ゴムシートを加熱熔解と共に含浸させ、余熱を有し粘性が残る時点において木材、樹脂、金属、繊維のいずれかの素材に圧着固定した清掃具。
【請求項２】
口腔内清掃具である請求項１に記載の清掃具。
【請求項３】
網素材からなる袋の中に、その容積の１．５倍〜５倍にあたるメラミン樹脂発泡体を挿入しその反発力を利用、くり返し使用可能を特徴とする請求項１記載の清掃具。
【請求項４】
請求項３のメラミン樹脂発泡体使用の清掃具であって、挿入メラミン樹脂発泡体の適正面に熱可塑性樹脂を含浸させた請求項１記載の清掃具。
【請求項５】
請求項３のメラミン樹脂発泡体使用の清掃具であって、挿入メラミン樹脂発泡体の中央部付近に熱可塑性樹脂を含浸させた請求項１記載の清掃具。
【請求項６】
請求項３のメラミン樹脂発泡体使用の清掃具であって、含浸樹脂の表面に凹凸を有する請求項１記載の清掃具。